(57)【要約】【課題】画像を最適な大きさで用紙に形成することができる画像形成装置、制御方法およびプログラムを提供する。【解決手段】画像形成装置は、感光体ドラム５１を露光する露光装置４０と、用紙Ｓの通過を検出する用紙センサ２００と、画像データを含むファクシミリデータを受信する受信装置とを備え、受信した第１の画像データに基づく画像を第１の用紙Ｓに形成する第１画像形成処理と、用紙センサ２００が第１の用紙Ｓの先端および後端の通過を検出したタイミングに基づいて、露光装置４０に制御信号を出力した信号出力期間を取得する取得処理と、信号出力期間に対応する実印刷長さに合わせて、第１画像形成処理の後の画像形成に用いる第２の画像データに対応する画像の印刷倍率を決定する倍率決定処理と、第２の画像データに対応する画像に印刷倍率を適用した画像を第１の用紙Ｓの後に搬送される第２の用紙Ｓに形成する第２画像形成処理とを実行する。【選択図】図１
2019029951.tif 000002
【特許請求の範囲】
【請求項１】
感光体と、
前記感光体の表面を露光する露光装置と、
シートの搬送方向において前記感光体よりも上流に配置され、シートの通過を検出する少なくとも１つのセンサと、
画像データを含むファクシミリデータを受信する受信装置と、
制御装置と、を備え、
前記制御装置は、
前記受信装置が受信した第１の画像データに基づく画像を、前記露光装置および前記感光体を用いて第１のシートに形成する第１画像形成処理と、
前記センサが前記第１のシートの先端の通過を検出したタイミングと後端の通過を検出したタイミングとに基づいて、前記露光装置を制御するための制御信号を出力した信号出力期間を取得する取得処理と、
前記信号出力期間に対応する実印刷長さに合わせて、前記第１画像形成処理の後の画像形成に用いる第２の画像データに対応する画像の印刷倍率を決定する倍率決定処理と、
前記第２の画像データに対応する画像に前記印刷倍率を適用した画像を、前記露光装置および前記感光体を用いて前記第１のシートの後に搬送される第２のシートに形成する第２画像形成処理と、を実行することを特徴とする画像形成装置。
【請求項２】
前記制御装置は、
前記受信装置が第１のファクシミリデータを受信して第１のジョブを実行する場合に、前記第１画像形成処理と前記取得処理を実行し、
前記第１のファクシミリデータより後に第２のファクシミリデータを受信して前記第１のジョブより後の第２のジョブを実行する場合に、前記倍率決定処理と前記第２画像形成処理を実行することを特徴とする請求項１に記載の画像形成装置。
【請求項３】
前記制御装置は、前記第１の画像データに基づく画像の有効長さが前記実印刷長さを超えた場合、前記第１のジョブの実行中に、前記第２の画像データとして前記第１の画像データを用いて前記倍率決定処理と前記第２画像形成処理を実行することを特徴とする請求項２に記載の画像形成装置。
【請求項４】
前記制御装置は、前記第１の画像データに基づく画像の有効長さが前記実印刷長さを超えた場合、前記第２の画像データとして前記第１の画像データを用いて前記倍率決定処理と前記第２画像形成処理を実行することを特徴とする請求項１に記載の画像形成装置。
【請求項５】
前記制御装置は、前記倍率決定処理において、前記第２の画像データに対応する画像に前記印刷倍率を適用した画像の有効長さが、前記実印刷長さに合うように、前記印刷倍率を決定することを特徴とする請求項１から請求項４のいずれか１項に記載の画像形成装置。
【請求項６】
前記搬送方向において前記感光体よりも上流に配置されたレジストローラを備え、
前記センサは、前記搬送方向において前記レジストローラよりも上流に配置された第１センサを含み、
前記制御装置は、前記第１センサが前記第１のシートの後端の通過を検出したタイミングに基づいて前記制御信号の出力を終了することを特徴とする請求項１から請求項５のいずれか１項に記載の画像形成装置。
【請求項７】
前記センサは、前記搬送方向において前記レジストローラよりも下流に配置された第２センサを含み、
前記制御装置は、前記第２センサが前記第１のシートの先端の通過を検出したタイミングに基づいて前記制御信号の出力を開始することを特徴とする請求項６に記載の画像形成装置。
【請求項８】
前記制御装置は、シートの設定に変更があった場合、前記第１画像形成処理において、前記第１のシートの印刷可能長さを、変更後の設定に対応した印刷可能長さに設定し、当該印刷可能長さに合わせて、前記第１の画像データに対応する画像の印刷倍率を決定し、前記第１の画像データに対応する画像に当該印刷倍率を適用した画像を、前記露光装置および前記感光体を用いて前記第１のシートに形成することを特徴とする請求項１から請求項７のいずれか１項に記載の画像形成装置。
【請求項９】
シートの設定と、前記第１のシートの印刷可能長さとを対応させて記憶する記憶装置を備え、
前記制御装置は、シートの設定に変更があった場合、前記第１画像形成処理において、前記第１のシートの前記印刷可能長さを、前記記憶装置が記憶する印刷可能長さに設定することを特徴とする請求項８に記載の画像形成装置。
【請求項１０】
感光体と、前記感光体の表面を露光する露光装置と、シートの搬送方向において前記感光体よりも上流に配置され、シートの通過を検出する少なくとも１つのセンサと、画像データを含むファクシミリデータを受信する受信装置とを備える画像形成装置の制御方法であって、
前記受信装置が受信した第１の画像データに基づく画像を、前記露光装置および前記感光体を用いて第１のシートに形成する第１画像形成処理と、
前記センサが前記第１のシートの先端の通過を検出したタイミングと後端の通過を検出したタイミングとに基づいて、前記露光装置を制御するための制御信号を出力した信号出力期間を取得する取得処理と、
前記信号出力期間に対応する実印刷長さに合わせて、前記第１画像形成処理の後の画像形成に用いる第２の画像データに対応する画像の印刷倍率を決定する倍率決定処理と、
前記第２の画像データに対応する画像に前記印刷倍率を適用した画像を、前記露光装置および前記感光体を用いて前記第１のシートの後に搬送される第２のシートに形成する第２画像形成処理と、を実行することを特徴とする制御方法。
【請求項１１】
感光体と、前記感光体の表面を露光する露光装置と、シートの搬送方向において前記感光体よりも上流に配置され、シートの通過を検出する少なくとも１つのセンサと、画像データを含むファクシミリデータを受信する受信装置とを備える画像形成装置を制御するコンピュータに、
前記受信装置が受信した第１の画像データに基づく画像を、前記露光装置および前記感光体を用いて第１のシートに形成する第１画像形成処理と、
前記センサが前記第１のシートの先端の通過を検出したタイミングと後端の通過を検出したタイミングとに基づいて、前記露光装置を制御するための制御信号を出力した信号出力期間を取得する取得処理と、
前記信号出力期間に対応する実印刷長さに合わせて、前記第１画像形成処理の後の画像形成に用いる第２の画像データに対応する画像の印刷倍率を決定する倍率決定処理と、
前記第２の画像データに対応する画像に前記印刷倍率を適用した画像を、前記露光装置および前記感光体を用いて前記第１のシートの後に搬送される第２のシートに形成する第２画像形成処理と、を実行させることを特徴とするプログラム。
【発明の詳細な説明】
【技術分野】
【０００１】
本発明は、画像をシートに形成する画像形成装置、画像形成装置の制御方法、および、画像形成装置を制御するコンピュータに適用されるプログラムに関する。
【背景技術】
【０００２】
受信した画像データに基づく画像を用紙などのシートに形成する画像形成装置として、例えば、特許文献１には、画像データの原稿サイズと選択された給紙カセットの記録紙のサイズとが一致するか否かを判断し、サイズが一致しないと判断したときに原稿サイズを選択された給紙カセットの記録紙のサイズに合わせて、例えば、Ａ３の原稿サイズをＡ４またはＢ５の記録紙サイズに自動縮小したり、Ｂ５の原稿サイズをＡ４の記録紙サイズに自動拡大したりして印刷出力するものが開示されている。
【先行技術文献】
【特許文献】
【０００３】
【特許文献１】特開２００７−１３６６８８号公報
【発明の概要】
【発明が解決しようとする課題】
【０００４】
ところで、電子写真方式の画像形成装置において、シートの搬送方向における転写位置よりも上流にシートの通過を検出するセンサを配置し、シート先端の検出タイミングに基づいて露光を開始し、シート後端の検出タイミングに基づいて露光を終了する技術が知られている。このような画像形成装置に、従来の自動縮小・拡大技術を適用すると、従来技術は、予め設定された印刷倍率（固定値）で画像を縮小・拡大しているので、例えば、シートの種類の変化などによってセンサの検出タイミングが変動し、露光終了のタイミングが遅くなった場合にはシート後端部の余白が設定された以上に大きくなってしまい、また、露光終了のタイミングが早くなった場合には画像が途中で切れてしまうおそれがある。
【０００５】
本発明は、以上の背景に鑑みてなされたものであり、画像を最適な大きさでシートに形成することができる画像形成装置、制御方法およびプログラムを提供することを目的とする。
【課題を解決するための手段】
【０００６】
前記した目的を達成するため、本発明の画像形成装置は、感光体と、感光体の表面を露光する露光装置と、シートの搬送方向において感光体よりも上流に配置され、シートの通過を検出する少なくとも１つのセンサと、画像データを含むファクシミリデータを受信する受信装置と、制御装置と、を備える。
制御装置は、受信装置が受信した第１の画像データに基づく画像を、露光装置および感光体を用いて第１のシートに形成する第１画像形成処理と、センサが第１のシートの先端の通過を検出したタイミングと後端の通過を検出したタイミングとに基づいて、露光装置を制御するための制御信号を出力した信号出力期間を取得する取得処理と、信号出力期間に対応する実印刷長さに合わせて、第１画像形成処理の後の画像形成に用いる第２の画像データに対応する画像の印刷倍率を決定する倍率決定処理と、第２の画像データに対応する画像に印刷倍率を適用した画像を、露光装置および感光体を用いて第１のシートの後に搬送される第２のシートに形成する第２画像形成処理と、を実行する。
【０００７】
また、前記した目的を達成するため、本発明の制御方法は、感光体と、感光体の表面を露光する露光装置と、シートの搬送方向において感光体よりも上流に配置され、シートの通過を検出する少なくとも１つのセンサと、画像データを含むファクシミリデータを受信する受信装置とを備える画像形成装置の制御方法である。
本発明の制御方法は、受信装置が受信した第１の画像データに基づく画像を、露光装置および感光体を用いて第１のシートに形成する第１画像形成処理と、センサが第１のシートの先端の通過を検出したタイミングと後端の通過を検出したタイミングとに基づいて、露光装置を制御するための制御信号を出力した信号出力期間を取得する取得処理と、信号出力期間に対応する実印刷長さに合わせて、第１画像形成処理の後の画像形成に用いる第２の画像データに対応する画像の印刷倍率を決定する倍率決定処理と、第２の画像データに対応する画像に印刷倍率を適用した画像を、露光装置および感光体を用いて第１のシートの後に搬送される第２のシートに形成する第２画像形成処理と、を実行する。
【０００８】
また、前記した目的を達成するため、本発明のプログラムは、感光体と、感光体の表面を露光する露光装置と、シートの搬送方向において感光体よりも上流に配置され、シートの通過を検出する少なくとも１つのセンサと、画像データを含むファクシミリデータを受信する受信装置とを備える画像形成装置を制御するコンピュータに適用されるプログラムである。
本発明のプログラムは、コンピュータに、受信装置が受信した第１の画像データに基づく画像を、露光装置および感光体を用いて第１のシートに形成する第１画像形成処理と、センサが第１のシートの先端の通過を検出したタイミングと後端の通過を検出したタイミングとに基づいて、露光装置を制御するための制御信号を出力した信号出力期間を取得する取得処理と、信号出力期間に対応する実印刷長さに合わせて、第１画像形成処理の後の画像形成に用いる第２の画像データに対応する画像の印刷倍率を決定する倍率決定処理と、第２の画像データに対応する画像に印刷倍率を適用した画像を、露光装置および感光体を用いて第１のシートの後に搬送される第２のシートに形成する第２画像形成処理と、を実行させる。
【０００９】
以上のような発明によれば、例えば、シートの種類の変化などによってセンサの検出タイミングが変動しても、センサの検出結果に基づいて設定した実印刷長さに合わせて、第２の画像データに基づく画像をシートに形成することができる。これにより、シートに形成された画像が、シートの画像形成可能な領域に対して大きくなりすぎて途中で切れてしまったり、元画像（第２の画像データに対応する画像）に対して小さくなりすぎたりするのを抑制することができる。つまり、受信したファクシミリデータに含まれる画像を最適な大きさでシートに形成することができる。
【発明の効果】
【００１０】
本発明によれば、受信したファクシミリデータに含まれる画像を最適な大きさでシートに形成することができる。
【図面の簡単な説明】
【００１１】
【図１】実施形態に係る画像形成装置の構成を示す図である。
【図２】画像形成装置のブロック図である。
【図３】用紙センサの構成を示す図であり、ＯＦＦ状態（ａ）と、ＯＮ状態（ｂ）である。
【図４】ＡＳＩＣのブロック図である。
【図５】用紙センサの検出タイミングと露光制御信号の出力開始・出力終了のタイミングを示す図である。
【図６】原稿を示す図（ａ）と、第１画像形成処理により画像が形成された第１の用紙を示す図（ｂ）〜（ｄ）と、第２画像形成処理により画像が形成された第２の用紙を示す図（ｅ）〜（ｇ）である。
【図７】制御装置の動作を示すフローチャートである。
【発明を実施するための形態】
【００１２】
以下、発明の実施形態について適宜図面を参照しながら説明する。なお、以下では、画像形成装置の構成を簡単に説明した後、発明の特徴について詳細に説明する。また、以下の説明において、方向は、図１における右側を「前」、左側を「後」とし、手前側を「左」、奥側を「右」とする。また、図１における上側を「上」、下側を「下」とする。
【００１３】
図１に示すように、画像形成装置の一例としてのカラー複合機１（ＭＦＰ：Multi Function Peripheral）は、カラー印刷機能およびＦＡＸ送受信機能を有する。カラー複合機１は、本体筐体１０と、シート供給部２０と、画像形成部３０とを備えている。また、カラー複合機１は、原稿の画像を読み取る画像読取部９０と、動作状況の表示やユーザによる入力操作の受付を行う操作パネル９１を備えている。画像読取部９０および操作パネル９１は、画像形成部３０の上方に配置されている。
【００１４】
シート供給部２０は、本体筐体１０内の下部に設けられ、シートの一例としての用紙Ｓが収容される供給トレイ２１と、フィードローラ２３と、分離ローラ２４と、分離パッド２５と、搬送ローラ２６と、レジストローラ２７とを備えている。シート供給部２０は、供給トレイ２１内の用紙Ｓをフィードローラ２３によって送り出し、分離ローラ２４と分離パッド２５によって１枚ずつ分離し、搬送ローラ２６およびレジストローラ２７によって画像形成部３０に向けて搬送する。
【００１５】
画像形成部３０は、露光装置４０と、プロセス部５０と、転写ユニット７０と、定着装置８０とを備えている。
【００１６】
露光装置４０は、本体筐体１０内の上部に配置され、図示しない複数のレーザ光源、ポリゴンミラー、レンズ、反射鏡などを備えている。露光装置４０は、画像データに基づく二点鎖線で示す光ビームを、感光体の一例としての感光体ドラム５１の表面で高速走査することで、感光体ドラム５１の表面を露光する。
【００１７】
プロセス部５０は、供給トレイ２１と露光装置４０の間に配置され、前後に配列された４つの感光体ドラム５１と、各感光体ドラム５１に対し１つずつ設けられた帯電器５２および現像カートリッジ５３とを備えている。各現像カートリッジ５３は、それぞれ、現像ローラ５４、現像剤としてのトナーを収容する収容部５５などを備えている。
【００１８】
転写ユニット７０は、供給トレイ２１とプロセス部５０との間に設けられ、駆動ローラ７１と、従動ローラ７２と、駆動ローラ７１と従動ローラ７２に張設された無端状の搬送ベルト７３と、４つの転写ローラ７４とを備えている。搬送ベルト７３は、外側の面が各感光体ドラム５１に接しており、その内側には転写ローラ７４が感光体ドラム５１との間で搬送ベルト７３を挟むように配置されている。
【００１９】
定着装置８０は、プロセス部５０および転写ユニット７０の後方に配置され、加熱ローラ８１と、加熱ローラ８１に対向して配置されて加熱ローラ８１を押圧する加圧ローラ８２とを備えている。
【００２０】
画像形成部３０は、感光体ドラム５１の表面を、帯電器５２によって帯電し、露光装置４０によって露光することで、感光体ドラム５１上に静電潜像を形成する。次に、画像形成部３０は、現像ローラ５４が担持するトナーを感光体ドラム５１上の静電潜像に供給することで、静電潜像を可視像化し、感光体ドラム５１上にトナー像を形成する。その後、画像形成部３０は、シート供給部２０から供給された用紙Ｓを、感光体ドラム５１と転写ローラ７４の間で搬送することで、感光体ドラム５１上に形成されたトナー像を用紙Ｓに転写する。そして、画像形成部３０は、トナー像が転写された用紙Ｓを、加熱ローラ８１と加圧ローラ８２の間で搬送することでトナー像を熱定着し、用紙Ｓに画像を形成する。画像が形成された用紙Ｓは、搬送ローラ９２や排出ローラ９３によって排出トレイ１２上に排出される。
【００２１】
図２に示すように、カラー複合機１は、画像形成部３０や操作パネル９１などのほか、さらに、受信装置の一例としてのネットワークインターフェース９５と、制御装置１００と、センサの一例としての用紙センサ２００とを備えている。
【００２２】
また、画像形成部３０は、プロセス部５０や定着装置８０などのほか、さらに、感光体ドラム５１やレジストローラ２７などに回転駆動力を与える駆動モータ３１と、露光装置４０に設けられたビーム検出器４８と、露光装置４０に設けられたレーザ光源を制御するＬＤドライバ４９とを備えている。
【００２３】
図１に示すように、本体筐体１０には、供給トレイ２１から送り出された用紙Ｓを画像形成部３０に案内するための供給経路２８が形成されている。供給経路２８は、フィードローラ２３付近から前斜め上方に向かって延び、進路を後方に湾曲させて、画像形成部３０、詳しくは、用紙Ｓの搬送方向において最も上流に配置された感光体ドラム５１と転写ローラ７４の間に向けて延びている。
【００２４】
レジストローラ２７は、シート供給部２０から画像形成部３０に向けて搬送される用紙Ｓの先端の位置合わせを行うことにより用紙Ｓの斜行を補正するローラである。レジストローラ２７は、駆動モータ３１（図２参照）から回転駆動力が与えられる駆動ローラ２７Ａと、駆動ローラ２７Ａに接触した状態で配置され、駆動ローラ２７Ａの回転に伴って従動回転する従動ローラ２７Ｂとから構成されている。レジストローラ２７は、供給経路２８における用紙Ｓの搬送方向において感光体ドラム５１（詳しくは、４つの感光体ドラム５１のうち最も上流に配置された感光体ドラム５１）よりも上流に配置されている。
【００２５】
用紙センサ２００は、供給経路２８を搬送される用紙Ｓの通過を検出するセンサであり、用紙Ｓの搬送方向において感光体ドラム５１（最も上流に配置された感光体ドラム５１）よりも上流に配置されている。本実施形態において、用紙センサ２００は、第１センサの一例としてのレジ前センサ２１０と、第２センサの一例としてのレジ後センサ２２０を含む。
【００２６】
レジ前センサ２１０は、用紙Ｓの搬送方向においてレジストローラ２７よりも上流に配置されている。詳しくは、レジ前センサ２１０は、用紙Ｓの搬送方向においてレジストローラ２７よりも上流、かつ、搬送ローラ２６よりも下流であって、供給経路２８の湾曲した部分に配置されている。
【００２７】
レジ後センサ２２０は、用紙Ｓの搬送方向においてレジストローラ２７よりも下流に配置されている。詳しくは、レジ後センサ２２０は、供給経路２８の、湾曲した部分よりも下流に設けられた、後斜め上方に向けて略まっすぐ延びる部分に配置されている。
【００２８】
図３（ａ），（ｂ）に示すように、レジ前センサ２１０およびレジ後センサ２２０は、一例として、揺動可能に設けられたアクチュエータ２０１と、アクチュエータ２０１の揺動を検出する光センサ２０２とから構成されている。光センサ２０２は、発光素子と、発光素子と対向して配置され、発光素子からの光を受光可能な受光素子とから構成されている。
【００２９】
レジ前センサ２１０およびレジ後センサ２２０は、図３（ａ）に示す、用紙Ｓが通過していないときには、アクチュエータ２０１が光センサ２０２の発光素子と受光素子の間に位置し、発光素子からの光を遮断して受光素子で受光できないように構成されている。本実施形態では、このときの状態を「ＯＦＦ」状態という。また、レジ前センサ２１０およびレジ後センサ２２０は、図３（ｂ）に示す、用紙Ｓが通過しているときには、アクチュエータ２０１に用紙Ｓが当接することで、アクチュエータ２０１が揺動して光センサ２０２の発光素子と受光素子の間から退避し、発光素子からの光を受光素子で受光できるように構成されている。本実施形態では、このときの状態を「ＯＮ」状態という。
【００３０】
図２に示すように、レジ前センサ２１０やレジ後センサ２２０などの各種センサ、操作パネル９１、ネットワークインターフェース９５、ビーム検出器４８やＬＤドライバ４９などの画像形成部３０の各部は、それぞれ、制御装置１００に接続されている。
【００３１】
ネットワークインターフェース９５は、画像データを含むファクシミリデータを受信する装置である。ネットワークインターフェース９５は、通信回線を介して、カラー複合機１の外部の、図示しないファクシミリ装置やパーソナルコンピュータなどに接続されており、これらの装置との間で相互にデータ通信可能に構成されている。
【００３２】
制御装置１００は、カラー複合機１の各部を制御するコンピュータの一例であり、各チップがプリント基板上に固定された電子部品（制御回路）として構成されている。具体的に、制御装置１００は、ＡＳＩＣ１１０、ＲＯＭ１２０、ＲＡＭ１３０、記憶装置の一例としてのＮＶＲＡＭ１４０などを備えている。
【００３３】
ＲＯＭ１２０には、カラー複合機１の各部を制御するために制御装置１００（ＡＳＩＣ１１０）に実行させるプログラムや、各種設定情報などのデータが記憶されている。
ＲＡＭ１３０は、ＡＳＩＣ１１０が各種のプログラムを実行する際の作業領域や、データの一時的な記憶領域として利用される。
ＮＶＲＡＭ１４０には、例えば、サイズや種類などの用紙Ｓの設定と、後述する印刷可能ライン数ＮＰとが関連付けられて記憶されている。
【００３４】
ＡＳＩＣ１１０は、レジ前センサ２１０やレジ後センサ２２０などの各種センサから出力された信号や、ＲＯＭ１２０などから読み出したプログラムやデータなどに基づいて各種演算処理を行い、演算結果に基づいてカラー複合機１の各部に制御信号を出力することで、各部の制御を実行する。言い換えると、カラー複合機１の各部は、ＡＳＩＣ１１０から出力された制御信号に応じて動作するように構成されている。
【００３５】
図４に示すように、ＡＳＩＣ１１０内には、ＤＭＡ制御ブロック１１１、ＢＤ入力制御ブロック１１２、データ出力制御ブロック１１３が設けられている。
ＤＭＡ制御ブロック１１１は、ＲＡＭ１３０から画像データを読み込み、必要に応じてデータの解凍などを行った上で、出力データに変換する。また、ＤＭＡ制御ブロック１１１は、データ出力制御ブロック１１３からのライン出力完了信号をトリガとして出力データをデータ出力制御ブロック１１３に出力する。
【００３６】
ＢＤ入力制御ブロック１１２は、ビーム検出器４８からのライン信号を受信し、データ出力制御ブロック１１３にライン同期信号を出力する。また、ＢＤ入力制御ブロック１１２は、出力イネーブル信号をＬＤドライバ４９に出力する。
データ出力制御ブロック１１３は、ＢＤ入力制御ブロック１１２からのライン同期信号をトリガとしてＤＭＡ制御ブロック１１１に画像データを要求し、ＤＭＡ制御ブロック１１１から出力された画像データを受信する。また、データ出力制御ブロック１１３は、受信した画像データに基づいて露光装置４０を制御するための制御信号（以下、「露光制御信号」という。）をＬＤドライバ４９に出力する。
【００３７】
ＡＳＩＣ１１０は、レジ後センサ２２０が用紙Ｓの先端の通過を検出したタイミングに基づいてＬＤドライバ４９への露光制御信号の出力を開始する。具体的には、図５に示すように、ＡＳＩＣ１１０は、レジ後センサ２２０がＯＦＦからＯＮとなったタイミングから第１の時間Ｔ１が経過したときに露光制御信号の出力を開始し、ＬＤドライバ４９による露光装置４０の制御を開始する。露光装置４０による感光体ドラム５１の表面の露光位置が当該感光体ドラム５１と転写ローラ７４との間の転写位置に到達するまでの時間と、用紙Ｓの画像形成可能な領域の先端を転写位置まで搬送するのにかかる時間とが同じになる供給経路２８上の位置を基準位置として、第１の時間Ｔ１は、レジ後センサ２２０がＯＮとなったタイミングから、用紙Ｓの画像形成可能な領域の先端が基準位置に到達するまでの時間として設定されている。
【００３８】
また、ＡＳＩＣ１１０は、レジ前センサ２１０が用紙Ｓの後端の通過を検出したタイミングに基づいてＬＤドライバ４９への露光制御信号の出力を終了する。具体的には、ＡＳＩＣ１１０は、レジ前センサ２１０がＯＮからＯＦＦとなったタイミングから第２の時間Ｔ２が経過したときに露光制御信号の出力を終了し、ＬＤドライバ４９による露光装置４０の制御を終了する。第２の時間Ｔ２は、レジ前センサ２１０がＯＦＦとなったタイミングから、用紙Ｓの画像形成可能な領域の後端が基準位置に到達するまでの時間として設定されている。
【００３９】
本実施形態において、制御装置１００は、カラー複合機１の各部を制御して、主に、第１画像形成処理と、取得処理と、倍率決定処理と、第２画像形成処理とを実行するように構成されている。
【００４０】
第１画像形成処理は、ネットワークインターフェース９５が受信したファクシミリデータに含まれる画像データ（第１の画像データ）に基づく画像を、露光装置４０および感光体ドラム５１を含む画像形成部３０を用いて、シート供給部２０から供給されて搬送される用紙Ｓ（第１の用紙Ｓ１）に形成する処理である。第１画像形成処理については、後でも説明する。
【００４１】
取得処理は、レジ後センサ２２０が用紙Ｓの先端の通過を検出したタイミングと、レジ前センサ２１０が用紙Ｓの後端の通過を検出したタイミングとに基づいて、信号出力期間ＴＯを取得する処理である。図５に示すように、信号出力期間ＴＯは、制御装置１００（ＡＳＩＣ１１０）がＬＤドライバ４９に露光制御信号を出力した期間である。より詳しくは、信号出力期間ＴＯは、露光制御信号の出力開始から出力終了までの時間である。制御装置１００は、取得処理を、第１画像形成処理の実行中に実行する。
【００４２】
倍率決定処理は、取得処理で取得した信号出力期間ＴＯに対応する実印刷長さＬＳに合わせて、第１画像形成処理の後の画像形成に用いる画像データ（第２の画像データ）に対応する画像の印刷倍率Ｍを決定する処理である。図６に示すように、露光装置４０による感光体ドラム５１の表面の走査方向を主走査方向とし、主走査方向に直交する方向であって用紙Ｓの搬送方向に相当する方向を副走査方向として、実印刷長さＬＳは、副走査方向に対応する長さである。詳しくは、実印刷長さＬＳは、露光制御信号の出力開始から出力終了までの間に露光装置４０が感光体ドラム５１の表面を走査可能な最大の副走査方向の長さである。
【００４３】
さらに説明すると、図６（ｆ）に示すように、実印刷長さＬＳは、副走査方向における用紙Ｓ上の第１位置Ｐ１から第２位置Ｐ２までの長さである。第１位置Ｐ１は、露光制御信号の出力開始時に露光装置４０が光ビームを出射して感光体ドラム５１の表面を走査露光した場合に、その走査露光箇所に対応する用紙Ｓ上の位置である。また、第２位置Ｐ２は、露光制御信号の出力終了時（終了直前）に露光装置４０が光ビームを出射して感光体ドラム５１の表面を走査露光した場合に、その走査露光箇所に対応する用紙Ｓ上の位置である。
【００４４】
図６（ｅ）〜（ｇ）に示すように、制御装置１００は、倍率決定処理において、原稿ＯＲの元画像ＩＭ（第２の画像データに対応する画像）に印刷倍率Ｍを適用した画像の有効長さＬＥ２が、実印刷長さＬＳに合うように、印刷倍率Ｍを決定する。
【００４５】
ここで、図６（ｂ）〜（ｇ）に示す、画像の有効長さＬＥ１，ＬＥ２は、画像のうち、用紙Ｓにトナーを載せようとする部分に対応する部分の副走査方向における最大長さである。言い換えると、画像には、副走査方向における一端側および他端側の少なくとも一方にトナーを載せない部分（用紙Ｓの地色で表す部分）が含まれている場合があるが、有効長さＬＥ１，ＬＥ２は、画像のうち、そのようなトナーを載せない部分を除いた部分の副走査方向における最大長さである。
【００４６】
本実施形態において、制御装置１００は、実印刷長さＬＳとして、露光装置４０が感光体ドラム５１の表面の実印刷長さＬＳに対応する全領域を走査するのに必要な走査ラインの数（実走査ライン数ＮＳ）を用いる。そして、制御装置１００は、実走査ライン数ＮＳと、画像データに対応する画像を等倍で描くのに必要な走査ラインの数（元走査ライン数ＮＡ）とに基づいて印刷倍率Ｍを決定する。一例として、制御装置１００は、実走査ライン数ＮＳ（詳しくは、後述する印刷可能ライン数ＮＰうち、実走査ライン数ＮＳに基づく印刷可能ライン数ＮＰ）を元走査ライン数ＮＡで割った値を印刷倍率Ｍとして決定する。なお、本実施形態において、制御装置１００は、算出した印刷倍率Ｍが１を超える場合には、印刷倍率Ｍを１に設定するように構成されている。
【００４７】
第２画像形成処理は、第２の画像データに対応する画像に倍率決定処理で決定した印刷倍率Ｍを適用した画像を、画像形成部３０を用いて、第１の用紙Ｓ１の後にシート供給部２０から供給されて搬送される用紙Ｓ（第２の用紙Ｓ２）に形成する処理である。
【００４８】
制御装置１００は、第１画像形成処理において、用紙Ｓ（第１の用紙Ｓ１）の印刷可能長さＬＰに合わせて、第１の画像データに対応する画像の印刷倍率Ｍを決定し、第１の画像データに対応する画像に当該印刷倍率Ｍを適用した画像を、画像形成部３０を用いて用紙Ｓ（第１の用紙Ｓ１）に形成するように構成されている。
【００４９】
図６（ｃ）に示すように、用紙Ｓの印刷可能長さＬＰは、用紙Ｓの画像形成可能な領域の副走査方向の長さである。言い換えると、用紙Ｓの印刷可能長さＬＰは、用紙Ｓの搬送方向における先端部および後端部の、設定された余白部分を除いた長さである。印刷可能長さＬＰは、設定された余白部分の長さが同じであれば、用紙Ｓのサイズに応じて異なる。用紙Ｓの印刷可能長さＬＰは、用紙センサ２００の検出タイミングが変動しなければ、通常は、実印刷長さＬＳと同じである。
【００５０】
本実施形態において、制御装置１００は、用紙Ｓの印刷可能長さＬＰとして、露光装置４０が感光体ドラム５１の表面の印刷可能長さＬＰに対応する全領域を走査するのに必要な走査ラインの数（印刷可能ライン数ＮＰ）を用いる。そして、制御装置１００は、印刷可能ライン数ＮＰと、元走査ライン数ＮＡとに基づいて第１画像形成処理で用いる印刷倍率Ｍを決定する。一例として、制御装置１００は、印刷可能ライン数ＮＰを元走査ライン数ＮＡで割った値を印刷倍率Ｍとして決定する。なお、前述したとおり、制御装置１００は、算出した印刷倍率Ｍが１を超える場合には、印刷倍率Ｍを１に設定する。また、より詳しく説明すると、制御装置１００は、印刷可能ライン数ＮＰを所定のマージンを加えた値に設定する。
【００５１】
制御装置１００は、用紙Ｓの設定に変更があった場合、第１画像形成処理において、印刷可能長さＬＰに対応する印刷可能ライン数ＮＰを、変更後の用紙Ｓの設定に対応した印刷可能ライン数ＮＰに設定する。詳しくは、制御装置１００は、用紙Ｓの設定に変更があった場合、印刷可能ライン数ＮＰ（ＮＰｎ）を、ＮＶＲＡＭ１４０が記憶する印刷可能ライン数ＮＰ（ＮＰｍ）に設定する。ＮＶＲＡＭ１４０は、用紙Ｓの設定と、印刷可能ライン数ＮＰｍとを対応させて記憶している。
【００５２】
本実施形態において、用紙Ｓの設定は、用紙Ｓのサイズ、用紙Ｓの種類、および、用紙Ｓの搬送速度の少なくとも１つである。具体的に、用紙Ｓのサイズは、例えば、Ａ４サイズであるか、レターサイズであるかなどといったものである。また、用紙Ｓの種類は、例えば、いわゆる普通紙であるか、普通紙よりも厚い紙であるか、薄い紙であるかなどといったものである。また、用紙Ｓの搬送速度は、例えば、全速（通常の搬送速度）であるか、全速の略半分の速度である半速であるかなどといったものである。
【００５３】
制御装置１００は、例えば、ユーザが操作パネル９１やカラー複合機１に接続されたパーソナルコンピュータなどを操作して用紙Ｓのサイズや種類を変更したり、定着装置８０による定着性を高めるためにユーザが選択した用紙Ｓの種類などに応じて当該制御装置１００が用紙Ｓの搬送速度を変更したりした場合に、用紙Ｓに設定に変更があったと判断する。そして、制御装置１００は、変更後の用紙Ｓの設定に基づき、ＮＶＲＡＭ１４０から、当該設定に対応させて記憶されている印刷可能ライン数ＮＰｍを読み出し、印刷倍率Ｍを決定するための印刷可能ライン数ＮＰに設定する。
【００５４】
また、制御装置１００は、用紙Ｓの設定に変更がない場合には、印刷可能ライン数ＮＰ（ＮＰｎ）を、前回の、ファクシミリデータを受信して実行したジョブ終了時の印刷可能ライン数ＮＰ（ＮＰｎ−１）に設定する。前回のジョブ終了時の印刷可能ライン数ＮＰは、実走査ライン数ＮＳに基づく値である。具体的には、前回のジョブ終了時の印刷可能ライン数ＮＰは、直近に取得した信号出力期間ＴＯに対応する実走査ライン数ＮＳである。
【００５５】
制御装置１００は、ネットワークインターフェース９５が第１のファクシミリデータを受信して第１のジョブを実行する場合に、第１画像形成処理と取得処理を実行する。また、制御装置１００は、原則として、第１のファクシミリデータより後に第２のファクシミリデータを受信して第１のジョブより後の第２のジョブを実行する場合に、倍率決定処理と第２画像形成処理を実行する。つまり、制御装置１００は、原則として、第１画像形成処理および取得処理と、倍率決定処理および第２画像形成処理とを異なるジョブで実行する。
【００５６】
一方、制御装置１００は、第１のジョブの実行中であっても、第１の画像データに基づく画像の有効長さＬＥ１が実印刷長さＬＳを超えた場合（図６（ｂ）参照）には、当該第１のジョブの実行中に、第２の画像データとして第１の画像データを用いて倍率決定処理と第２画像形成処理を実行する。つまり、制御装置１００は、第１の画像データに基づく画像の有効長さＬＥ１が実印刷長さＬＳを超えた場合には、同一のジョブの実行中であっても、倍率決定処理と第２画像形成処理を実行する。
【００５７】
具体的に、制御装置１００は、第１のジョブの実行中において、第１の画像データに対応する画像に第１画像形成処理で決定した印刷倍率Ｍを適用した画像を描くのに必要な走査ラインの数（有効印刷ライン数ＮＥ）が実走査ライン数ＮＳを超えた場合には、第１のジョブの実行中に、第１の画像データを用いて倍率決定処理と第２画像形成処理を実行するように構成されている。
【００５８】
次に、制御装置１００の動作（カラー複合機１の制御方法）について説明する。制御装置１００は、図７に示す動作を繰り返し実行している。
図７に示すように、制御装置１００は、用紙Ｓの設定に変更がない場合（Ｓ１１，Ｎｏ）、今回の印刷可能ライン数ＮＰｎを、前回の、ファクシミリデータを受信して実行したジョブ終了時の印刷可能ライン数ＮＰｎ−１に設定する（Ｓ１２）。
【００５９】
ファクシミリデータを受信した場合（Ｓ２１，Ｙｅｓ）、制御装置１００は、印刷可能ライン数ＮＰｎと、ファクシミリデータ（第１のファクシミリデータ）に含まれる第１の画像データに対応する画像の元走査ライン数ＮＡとに基づいて、印刷倍率Ｍを決定する（Ｓ２２）。そして、制御装置１００は、第１の画像データに対応する画像に決定した印刷倍率Ｍを適用した画像を、画像形成部３０を用いて用紙Ｓ（第１の用紙Ｓ１）に形成する「第１画像形成処理」を実行する（Ｓ２３）。
【００６０】
また、制御装置１００は、第１画像形成処理の実行中に、レジ後センサ２２０がＯＮとなったタイミングに基づいて露光制御信号の出力を開始し（Ｓ２４）、レジ前センサ２１０がＯＦＦとなったタイミングに基づいて露光制御信号の出力を終了する（Ｓ２５）。そして、制御装置１００は、レジ後センサ２２０がＯＮとなったタイミングと、レジ前センサ２１０がＯＦＦとなったタイミングとに基づいて、信号出力期間ＴＯを取得する「取得処理」を実行する（Ｓ２６）。そして、制御装置１００は、信号出力期間ＴＯに対応する実走査ライン数ＮＳを取得する（Ｓ２７）。
【００６１】
次に、制御装置１００は、第１の画像データに基づく画像、詳しくは、第１の画像データに対応する画像に印刷倍率Ｍを適用した画像の有効印刷ライン数ＮＥが実走査ライン数ＮＳを超えたか否かを判定する（Ｓ３１）。そして、有効印刷ライン数ＮＥが実走査ライン数ＮＳを超えていない場合（Ｓ３１，Ｎｏ）、制御装置１００は、今回のジョブが終了したか否かを判定する（Ｓ４１）。受信したファクシミリデータに２ページ目以降の画像データが含まれていて、今回のジョブが終了していない場合（Ｓ４１，Ｎｏ）、制御装置１００は、印刷倍率Ｍを変更することなく、ステップＳ２３に進んで画像形成や以降の動作を実行する。
【００６２】
一方、今回のジョブが終了した場合（Ｓ４１，Ｙｅｓ）、制御装置１００は、印刷可能ライン数ＮＰを実走査ライン数ＮＳに設定する（Ｓ４２）。詳しくは、制御装置１００は、印刷可能ライン数ＮＰを、実走査ライン数ＮＳに所定のマージンを加えた値に設定する。また、制御装置１００は、ＮＶＲＡＭ１４０により印刷可能ライン数ＮＰを記憶する（Ｓ４３）。詳しくは、制御装置１００は、印刷可能ライン数ＮＰを次回のジョブで用いるための印刷可能ライン数（ＮＰｎ−１）として記憶するとともに、今回の用紙Ｓの設定と印刷可能ライン数ＮＰ（ＮＰｍ）とを対応させて記憶する。その後、制御装置１００は、今回の動作を終了する。
【００６３】
次の動作に入って、用紙Ｓの設定に変更がない場合（Ｓ１１，Ｎｏ）、制御装置１００は、印刷可能ライン数ＮＰｎを前回のジョブ終了時に記憶した印刷可能ライン数ＮＰｎ−１に設定する（Ｓ１２）。そして、新たにファクシミリデータを受信した場合（Ｓ２１，Ｙｅｓ）、制御装置１００は、印刷可能ライン数ＮＰｎと、新たなファクシミリデータ（第２のファクシミリデータ）に含まれる第２の画像データに対応する画像の元走査ライン数ＮＡとに基づいて、印刷倍率Ｍを決定する（Ｓ２２）。
【００６４】
ここでの印刷可能ライン数ＮＰｎは、前回のジョブ実行時のステップＳ４２で実走査ライン数ＮＳに設定されているため、制御装置１００は、今回のステップＳ２２において、実走査ライン数ＮＳに合わせて印刷倍率Ｍを決定する「倍率決定処理」を実行している。
【００６５】
そして、制御装置１００は、第２の画像データに対応する画像に印刷倍率Ｍを適用した画像を、画像形成部３０を用いて用紙Ｓ（第２の用紙Ｓ２）に形成する「第２画像形成処理」を実行する（Ｓ２３）。なお、本実施形態では、制御装置１００は、ここでの画像形成処理の実行中に「取得処理」（Ｓ２６）も実行している。そのため、ここでの画像形成処理は、信号出力期間ＴＯを取得するための「第１画像形成処理」でもある。
【００６６】
ここまでの説明では、制御装置１００は、次回の、ファクシミリデータ受信後のジョブを実行する場合に倍率決定処理と第２画像形成処理を実行していた。しかし、ステップＳ３１において、第１の画像データに基づく画像の有効印刷ライン数ＮＥが実走査ライン数ＮＳを超えた場合（Ｓ３１，Ｙｅｓ）には、有効印刷長さＬＥ１が実印刷長さＬＳを超えて、第１の用紙Ｓ１に形成された第１の画像データに基づく画像が途中で切れてしまうので（図６（ｂ）参照）、制御装置１００は、今回のジョブの実行中でも倍率決定処理と第２画像形成処理を実行する。
【００６７】
具体的に、制御装置１００は、第１の画像データに基づく画像の有効印刷ライン数ＮＥが実走査ライン数ＮＳを超えた場合、印刷可能ライン数ＮＰｎを直近のステップＳ２７で取得した実走査ライン数ＮＳに設定する（Ｓ３２）。そして、制御装置１００は、印刷可能ライン数ＮＰｎと、直前に用いた第１の画像データに対応する画像の元走査ライン数ＮＡとに基づいて、印刷倍率Ｍを決定する「倍率決定処理」を実行する（Ｓ２２）。
【００６８】
そして、制御装置１００は、第１の画像データを再び用い、当該第１の画像データに対応する画像に新たに決定した印刷倍率Ｍを適用した画像を、新たな用紙Ｓ（第２の用紙Ｓ２）に形成する「第２画像形成処理」を実行する（Ｓ２３）。言い換えると、制御装置１００は、第１の画像データに基づく画像の有効印刷ライン数ＮＥが実走査ライン数ＮＳを超えた場合、今回のジョブの実行中に、印刷倍率Ｍを決定し直し、第１の画像データに基づく画像を再印刷する。
【００６９】
また、制御装置１００は、例えば、ユーザが用紙Ｓの設定を変更した場合、ステップＳ１１において、用紙Ｓの設定に変更があったと判定する（Ｓ１１，Ｙｅｓ）。この場合、制御装置１００は、印刷可能ライン数ＮＰｎを、ＮＶＲＡＭ１４０が記憶する、変更後の用紙Ｓの設定に対応する印刷可能ライン数ＮＰｍに設定する（Ｓ１３）。その後、制御装置１００は、ファクシミリデータを受信した場合（Ｓ２１，Ｙｅｓ）、印刷可能ライン数ＮＰｎに合わせて印刷倍率Ｍを決定し（Ｓ２２）、画像データに対応する画像に印刷倍率Ｍを適用した画像を用紙Ｓ（第１の用紙Ｓ１）に形成する「第１画像形成処理」を実行する（Ｓ２３）。
【００７０】
次に、本実施形態に係るカラー複合機１の作用効果について説明する。
用紙センサ２００の検出タイミングは、用紙Ｓの種類の変化などによって変動する場合がある。例えば、用紙Ｓの厚みの違いによって用紙Ｓのコシが異なると、用紙Ｓの後端が用紙センサ２００を通過するときに、アクチュエータ２０１のはじき方が変化し、検出タイミングが早くなったり、遅くなったりする場合がある。そして、用紙センサ２００の検出タイミングが変動した場合には、信号出力期間ＴＯが変化するので、信号出力期間ＴＯに対応する実印刷長さＬＳが変化する。このような検出タイミングの変動は、特に、用紙Ｓの搬送方向においてレジストローラ２７よりも上流であって、供給経路２８の湾曲した部分に配置されている、レジ前センサ２１０において起こりやすい。
【００７１】
例えば、用紙Ｓのコシが弱いと、用紙Ｓの後端がレジ前センサ２１０を通過するときに、レジ前センサ２１０のアクチュエータ２０１がＯＮ状態からＯＦＦ状態へと戻りやすくなるので、図５に二点鎖線で示すように、レジ前センサ２１０がＯＮからＯＦＦとなるタイミングが早くなり、レジ前センサ２１０による用紙Ｓの後端の検出タイミングが早くなることがある。レジ前センサ２１０による用紙Ｓの後端の検出タイミングが早くなった場合には、信号出力期間ＴＯが短くなるので、信号出力期間ＴＯに対応する実印刷長さＬＳが短くなる。
【００７２】
図６（ｂ）に示すように、実印刷長さＬＳが図６（ｃ）の場合よりも短くなって実走査ライン数ＮＳが減ると、第１画像形成処理において、実走査ライン数ＮＳ（実印刷長さＬＳ）が第１の画像データに基づく画像の有効印刷ライン数ＮＥ（有効印刷長さＬＥ１）未満となることがある。この場合には、露光装置４０による露光が第１の用紙Ｓ１の第２位置Ｐ２に対応するところまでしか行われないため、第１の用紙Ｓ１に形成された画像が途中で切れてしまう可能性がある。
【００７３】
また、例えば、用紙Ｓのコシが強いと、用紙Ｓの後端がレジ前センサ２１０を通過するときに、レジ前センサ２１０のアクチュエータ２０１がＯＮ状態からＯＦＦ状態へと戻りにくくなるので、図５に一点鎖線で示すように、レジ前センサ２１０がＯＮからＯＦＦとなるタイミングが遅くなり、レジ前センサ２１０による用紙Ｓの後端の検出タイミングが遅くなることがある。レジ前センサ２１０による用紙Ｓの後端の検出タイミングが遅くなった場合には、信号出力期間ＴＯが長くなるので、信号出力期間ＴＯに対応する実印刷長さＬＳが長くなる。
【００７４】
図６（ｄ）に示すように、実印刷長さＬＳが図６（ｃ）の場合よりも長くなって実走査ライン数ＮＳが増えると、実走査ライン数ＮＳ（実印刷長さＬＳ）が第１の画像データに基づく画像の有効印刷ライン数ＮＥ（有効印刷長さＬＥ１）よりも大きくなることがある。この場合には、第１画像形成処理で形成された、第１の画像データに基づく画像の、搬送方向における後端部（図示した星型の画像と第２位置Ｐ２との間）に予め設定された余白以上の不要な余白ができてしまう可能性がある。
【００７５】
本実施形態によれば、倍率決定処理において、用紙センサ２００の検出結果（信号出力期間ＴＯ）に基づいて設定した実走査ライン数ＮＳに合わせて印刷倍率Ｍを決定し、第２画像形成処理において、第２の画像データに対応する画像に決定した印刷倍率Ｍを適用した画像を第２の用紙Ｓ２に形成するので、用紙センサ２００の検出タイミングが変動しても、図６（ｅ），（ｇ）に示すように、実印刷長さＬＳに合わせて、第２の画像データに基づく画像を第２の用紙Ｓ２に形成することができる。
【００７６】
具体的には、図６（ｅ）に示すように、第２の用紙Ｓ２に形成された画像が、第２の用紙Ｓ２の画像形成可能な領域に対して大きくなりすぎて途中で切れてしまうのを抑制したり、図６（ｇ）に示すように、第２の用紙Ｓ２に形成された画像が、原稿ＯＲの元画像ＩＭに対して小さくなりすぎて不要な余白ができてしまうのを抑制したりすることができる。つまり、本実施形態によれば、受信したファクシミリデータに含まれる画像を最適な大きさで用紙Ｓに形成することができる。
【００７７】
また、第１のジョブを実行する場合に第１画像形成処理と取得処理を実行し、第２のジョブを実行する場合に倍率決定処理と第２画像形成処理を実行するので、第１のジョブと第２のジョブとで同一サイズ、同一種類の用紙Ｓを使う場合には、第１のジョブで形成される画像と比較して、第２のジョブで形成される画像を最適な大きさで用紙Ｓに形成することができる。
【００７８】
また、第１の画像データに基づく画像の有効印刷ライン数ＮＥが実走査ライン数ＮＳを超えた場合には、第１のジョブの実行中であっても、第１の画像データを用いて倍率決定処理と第２画像形成処理を実行するので、図６（ｂ）に示すように、第１の用紙Ｓ１に形成された第１の画像データに基づく画像が途中で切れてしまっても、図６（ｅ）に示すように、第１の画像データに対応する画像を適切な大きさで第２の用紙Ｓ２に再度形成することができる。これにより、受信したファクシミリデータに含まれる画像を確実に用紙Ｓに形成することができる。
【００７９】
また、倍率決定処理において、第２の画像データに対応する画像に印刷倍率Ｍを適用した画像の有効長さＬＥ２が、実印刷長さＬＳに合うように、印刷倍率Ｍを決定するので、特に、図６（ｇ）に示すように、画像（トナーが載る部分）を用紙Ｓの画像形成可能な領域に対してなるべく大きくすることができ、当該領域内の余白を小さくすることができる。これにより、用紙Ｓの後端部の余白が必要以上、具体的には、予め設定された余白以上に大きくなるのを抑制することができる。
【００８０】
また、レジ前センサ２１０が用紙Ｓの後端の通過を検出したタイミングに基づいて露光制御信号の出力を終了するので、例えば、レジ後センサ２２０のような、レジストローラ２７よりも下流に配置されたセンサが用紙Ｓの後端の通過を検出したタイミングに基づいて露光制御信号の出力を終了する場合と比較して、供給経路２８のうち、レジストローラ２７から感光体ドラム５１までの部分の長さを短くすることができる。これにより、本体筐体１０を小型化できるので、カラー複合機１を小型化することができる。
【００８１】
また、レジ後センサ２２０が用紙Ｓの先端の通過を検出したタイミングに基づいて露光制御信号の出力を開始するので、露光制御信号の出力開始のタイミングが変動するのを抑制することができ、露光制御信号の出力開始のタイミングを安定させることができる。レジ後センサ２２０は、用紙Ｓの搬送方向において斜行を補正するレジストローラ２７よりも下流であって、供給経路２８の略まっすぐ延びる部分に配置されているので、レジ前センサ２１０と比較して、検出タイミングが変動しにくいからである。
【００８２】
また、用紙Ｓの設定に変更があった場合には、第１画像形成処理において、印刷可能ライン数ＮＰｎを変更後の設定に対応した印刷可能ライン数ＮＰｍに設定し、当該印刷可能ライン数ＮＰｎに合わせて第１の画像データに対応する画像の印刷倍率Ｍを決定し、当該印刷倍率Ｍを適用した画像を第１の用紙Ｓ１に形成するので、変更後の用紙Ｓの設定に合わせた大きさの画像を第１の用紙Ｓ１に形成することができる。これにより、第１画像形成処理において第１の用紙Ｓ１に形成される画像が、図６（ｂ）に示すように、第１の用紙Ｓ１の画像形成可能な領域に対して大きくなりすぎて途中で切れてしまったり、図６（ｄ）に示すように、原稿ＯＲの元画像ＩＭに対して小さくなりすぎて不要な余白ができてしまったりするのを抑制することができる。
【００８３】
以上、発明の一実施形態について説明したが、本発明は前記実施形態に限定されるものではない。具体的な構成については、下記のように発明の趣旨を逸脱しない範囲で適宜変更が可能である。
【００８４】
例えば、前記実施形態では、再印刷をする場合を除いて、同一のジョブの実行中は印刷倍率Ｍを変更しない構成であったが、これに限定されない。例えば、受信したファクシミリデータに複数ページ分の画像データが含まれている場合、同一のジョブの実行中において、１ページごとに印刷倍率を変更してもよい。具体的には、第１画像形成処理を実行してｎページ目の画像を第１の用紙に形成しているときに取得処理を実行して信号出力期間を取得し、ｎ＋１ページ目の画像を形成するときに、倍率決定手段を実行して印刷倍率を決定し、その後、第２画像形成処理を実行してｎ＋１ページ目の画像に決定した印刷倍率を適用した画像を第２の用紙に形成する構成とすることができる。
【００８５】
また、制御装置１００は、再印刷をする場合だけ、具体的には、第１の画像データに基づく画像の有効長さＬＥ１が実印刷長さＬＳを超えた場合だけ、第２の画像データとして第１の画像データを用いて、倍率決定処理と第２画像形成処理を実行するように構成されていてもよい。これによれば、第１の用紙Ｓ１に形成された第１の画像データに基づく画像が途中で切れてしまっても、第１の画像データに対応する画像を適切な大きさで第２の用紙Ｓ２に再度形成することができるので、受信したファクシミリデータに含まれる画像を確実に用紙Ｓに形成することができる。
【００８６】
また、前記実施形態では、算出した印刷倍率Ｍが１を超える場合、印刷倍率Ｍを１に設定したが、これに限定されず、印刷倍率Ｍを、１を超える値に設定してもよい。つまり、用紙Ｓに形成される画像を、原稿ＯＲの元画像ＩＭよりも大きくしてもよい。
【００８７】
また、前記実施形態では、ＮＶＲＡＭ１４０が、用紙Ｓの設定と、印刷可能ライン数ＮＰｍとを対応させて記憶し、制御装置１００が、用紙Ｓの設定に変更があった場合に、第１画像形成処理において、印刷可能ライン数ＮＰｎを変更後の設定に対応した印刷可能ライン数ＮＰｍに設定し、当該印刷可能ライン数ＮＰｎに合わせて第１の画像データに対応する画像の印刷倍率Ｍを決定し、当該印刷倍率Ｍを適用した画像を第１の用紙Ｓ１に形成するように構成されていたが、これに限定されない。例えば、ＮＶＲＡＭ１４０は、印刷倍率自体を用紙Ｓの設定に対応させて記憶し、制御装置１００は、用紙Ｓの設定に変更があった場合に、第１画像形成処理において、印刷倍率を、ＮＶＲＡＭ１４０が記憶する、変更後の用紙Ｓの設定に対応した印刷倍率に設定し、当該印刷倍率を適用した画像を第１の用紙Ｓ１に形成するように構成されていてもよい。
【００８８】
また、前記実施形態では、実印刷長さＬＳや印刷可能長さＬＰなどの副走査方向の長さを、実走査ライン数ＮＳや印刷可能ライン数ＮＰなどの走査ラインの数に置き換えて制御を行う例を説明したが、これに限定されない。例えば、実印刷長さＬＳや印刷可能長さＬＰなどの副走査方向の長さ自体を用いて制御を行うように構成されていてもよい。
【００８９】
また、前記実施形態では、露光装置として、光ビームを走査して感光体ドラム５１の表面を露光するように構成された露光装置４０を例示したが、これに限定されない。例えば、露光装置は、感光体ドラム５１の走査方向に配列され、感光体ドラム５１の表面に対向して配置された複数の発光ダイオードなどの発光素子を備え、発光素子の明滅により感光体ドラム５１の表面を走査して露光するように構成されていてもよい。
【００９０】
また、前記実施形態では、感光体として感光体ドラム５１、つまりドラム状の感光体を例示したが、これに限定されず、例えば、ベルト状の感光体などであってもよい。
【００９１】
また、前記実施形態で説明した制御装置１００の構成は一例であり、前記実施形態の構成に限定されるものではない。例えば、ＡＳＩＣは、画像形成部３０の各部、つまり、制御対象ごとに複数設けられていてもよい。また、ＡＳＩＣは、ＲＯＭ１２０やＲＡＭ１３０などとは別の制御基板に設けられていてもよい。また、ＡＳＩＣが行う各種演算は、カラー複合機１の外部、例えば、カラー複合機１に接続されたパーソナルコンピュータやネットワーク上などで行ってもよい。
【００９２】
また、前記実施形態では、画像形成装置として、複数の感光体ドラム５１を備え、用紙Ｓにカラー画像を形成可能に構成されたカラー複合機１を例示したが、これに限定されない。例えば、画像形成装置は、感光体ドラムを１色分だけ備え、用紙にモノクロ画像のみを形成可能に構成された複合機であってもよい。また、画像形成装置は、複合機に限定されず、例えば、ＦＡＸ専用機などであってもよい。
【００９３】
また、前記実施形態では、用紙センサ２００が供給経路２８上に複数設けられていたが、これに限定されず、例えば、供給経路２８上に１つだけ設けられている構成であってもよい。言い換えると、画像形成装置は、用紙の通過を検出する１つのセンサにより用紙の先端の通過と後端の通過の両方を検出する構成であってもよい。
【００９４】
また、前記した実施形態および変形例で説明した各要素を、任意に組み合わせて実施してもよい。
【符号の説明】
【００９５】
１      カラー複合機
２７    レジストローラ
４０    露光装置
５１    感光体ドラム
９５    ネットワークインターフェース
１００  制御装置
１４０  ＮＶＲＡＭ
２００  用紙センサ
２１０  レジ前センサ
２２０  レジ後センサ
Ｓ      用紙
【図１】
2019029951.tif 000003
【図２】
2019029951.tif 000004
【図３】
2019029951.tif 000005
【図４】
2019029951.tif 000006
【図５】
2019029951.tif 000007
【図６】
2019029951.tif 000008
【図７】
2019029951.tif 000009